(57)【特許請求の範囲】
【請求項１】
移動無線端末装置の電磁波が他の電子機器に対し電磁障害を及ぼすおそれがある制限された局所領域（ＢＥＲ）内の移動無線システムの作動方法において、
ａ）前記制限された局所領域（ＢＥＲ）内に少なくとも１つの送信装置（ＳＥａ，ＳＥｂ）が存在しており、
ｂ）該制限された局所領域（ＢＥＲ）外には別の送信装置が存在しており、
ｃ）前記送信装置は、該送信装置（ＳＥａ、ＳＥｂ）に割り当てられたロケーションエリアに関する第１のシグナリング情報（ｓｉｇ１ａ，ｓｉｇ１ｂ）を送信して、前記制限された局所領域内に前記移動無線システムの１つのセルを形成し、
ｄ）前記送信装置は、前記制限された局所領域（ＢＥＲ）内に存在しているスイッチオフされていないすべての移動無線端末装置（ＭＦＥａ，ＭＦＥｂ）に対し強制的に、前記制限された局所領域内に存在する送信装置をベース送受信ステーションとして選択させ、該制限された局所領域外に存在している別の送信装置をベース送受信ステーションとしては選択させない出力で送信を行い、
ｅ）該出力により前記送信装置は、前記制限された局所領域（ＢＥＲ）内に存在しているスイッチオフされていないすべての移動無線端末装置（ＭＦＥａ，ＭＦＥｂ）に対し第２のシグナリング情報（ｓｉｇ２ａ，ｓｉｇ２ｂ）の送出を強制する状態を作為的に作り出し、該第２のシグナリング情報（ｓｉｇ２ａ，ｓｉｇ２ｂ）の処理により、スイッチオフされていない移動無線端末装置（ＭＦＥａ，ＭＦＥｂ）を検出し、ここで前記移動無線端末装置は、前記第１のシグナリング情報（ｓｉｇ１ａ，ｓｉｇ１ｂ）を受信して処理することにより、前記移動無線システムのセル内に該移動無線端末装置を登録させるための第２のシグナリング情報（ｓｉｇ２ａ，ｓｉｇ２ｂ）を送出することを特徴とする、
制限された局所領域（ＢＥＲ）内の移動無線システムの作動方法。
【請求項２】
前記制限された局所領域は、
ａ）飛行機内
ｂ）空港内
ｃ）病院内
ｄ）診察室内
ｅ）医学的研究室内
ｆ）燃料貯蔵場所の近く
ｇ）タンクステーションの近く
ｈ）化学工場の近く
ｉ）爆破作業場の近く
に形成されている、請求項１記載の方法。
【請求項３】
前記送信装置は、該送信装置に割り当てられており隣接する可能性のある別の送信装置によっても使用されないロケーションエリアに関する第１のシグナリング情報を送出する、請求項１または２記載の方法。
【請求項４】
前記送信装置により送信される第１のシグナリング情報は、存在する可能性のある別の送信装置から送信される信号よりも良好な品質で前記移動無線端末装置により受信可能である、請求項１から３のいずれか１項記載の方法。
【請求項５】
前記送信装置は、種々の移動無線システムに対応するそれぞれ異なる複数のシグナリング情報（ｓｉｇ１ａ，ｓｉｇ１ｂ）を送信する、請求項１から４のいずれか１項記載の方法。
【請求項６】
前記第２のシグナリング情報を受信装置（ＥＥａ，ＥＥｂ）により受信する、請求項１から５のいずれか１項記載の方法。
【請求項７】
前記第２のシグナリング情報を処理して、スイッチオフされていない移動無線端末装置を検出し表示させる、請求項１から６のいずれか１項記載の方法。
【請求項８】
前記受信装置は、種々の移動無線システムに対応するそれぞれ異なる複数のシグナリング情報（ｓｉｇ２ａ，ｓｉｇ２ｂ）を受信可能である、請求項１から７のいずれか１項記載の方法。
【請求項９】
前記第２のシグナリング情報の処理により、１つの移動無線チャネルの方式に従い無線インタフェースを介して第３のシグナリング情報（ｓｉｇ３ａ）が送信され、該第３のシグナリング情報（ｓｉｇ３ａ）は前記移動無線端末装置により受信されプログラム制御されるプロセッサ装置によって処理され、該処理により、移動無線端末装置の少なくとも送信機能が非アクティブ状態にされる、請求項１から８のいずれか１項記載の方法。
【請求項１０】
前記第３のシグナリング情報は、コネクション確立を目的とする第１のシグナリングフェーズ後に送信される、請求項１から９のいずれか１項記載の方法。
【請求項１１】
前記第３のシグナリング情報の処理により前記移動無線端末装置は、少なくとも送信機能が非アクティブとなる状態におかれ、前記移動無線端末装置が該状態にあるかぎりアクティブ状態にすることはできない、請求項１から１０のいずれか１項記載の方法。
【請求項１２】
前記送信装置は一定または可変の期間後、該送信装置に割り当てられている変更されたロケーションエリアに関するシグナリング情報を送出する、請求項１から１１のいずれか１項記載の方法。
【請求項１３】
前記送信装置および前記受信装置は１つの無線ステーション（ＢＴＳ）に統合されており、該無線ステーション（ＢＴＳ）は少なくとも部分的に、１つの移動無線システムまたは複数の異なる移動無線システムにおけるベース送受信ステーションの方式に従って動作する、請求項１から１２のいずれか１項記載の方法。
【請求項１４】
前記送信装置（ＳＥａ）と所定の位置関係にある移動無線端末装置だけが、前記送信装置から送出されたシグナリング情報を受信する、請求項１から１３のいずれか１項記載の方法。
【請求項１５】
無線ステーション（ＢＴＳ）において、
少なくとも１つの送信装置（ＳＥａ、ＳＥｂ）が設けられており、該送信装置（ＳＥａ，ＳＥｂ）は、自身に割り当てられたロケーションエリアに関する第１のシグナリング情報（ｓｉｇ１ａ，ｓｉｇ１ｂ）を送出して、制限された局所領域内に移動無線システムの１つのセルを形成し、前記制限された局所領域とは移動無線端末装置の電磁波が他の電子機器に対し電磁障害を及ぼすおそれがある領域であり、
前記送信装置は、前記制限された局所領域（ＢＥＲ）内に存在しているスイッチオフされていないすべての移動無線端末装置（ＭＦＥａ，ＭＦＥｂ）に対し強制的に、前記制限された局所領域内に存在する送信装置をベース送受信ステーションとして選択させ、該制限された局所領域外に存在している別の送信装置をベース送受信ステーションとしては選択させない出力で送信を行い、
該出力により前記送信装置は、前記制限された局所領域（ＢＥＲ）内に存在しているスイッチオフされていないすべての移動無線端末装置（ＭＦＥａ，ＭＦＥｂ）に対し第２のシグナリング情報の送出を強制する状態を作為的に作り出し、該第２のシグナリング情報の処理により、スイッチオフされていない移動無線端末装置（ＭＦＥａ，ＭＦＥｂ）を検出し、ここで前記移動無線端末装置は、前記第１のシグナリング情報（ｓｉｇ１ａ，ｓｉｇ１ｂ）を受信して処理することにより、前記移動無線システムのセル内に該移動無線端末装置を登録させるための第２のシグナリング情報（ｓｉｇ２ａ，ｓｉｇ２ｂ）を送出することを特徴とする、
無線ステーション。
【請求項１６】
少なくとも１つの受信装置（ＥＥａ，ＥＥｂ）が設けられており、該受信装置（ＥＥａ，ＥＥｂ）は、第２のシグナリング情報（ｓｉｇ２ａ，ｓｉｇ２ｂ）を受信し、該第２のシグナリング情報（ｓｉｇ２ａ，ｓｉｇ２ｂ）は、前記移動無線システムのセルに前記移動無線端末装置を登録させるために送出される、請求項１５記載の無線ステーション。
【請求項１７】
前記第２のシグナリング情報を処理することによりスイッチオフされていない移動無線端末装置を検出して表示する手段が設けられている、請求項１５または１６記載の無線ステーション。
【発明の詳細な説明】
【技術分野】
【０００１】
本発明は、制限された局所領域内の移動無線システムの作動方法、無線ステーション、移動無線端末装置ならびに移動無線システムに関する。
【背景技術】
【０００２】
成果を挙げているＧＳＭシステムなど最近のセルラ移動無線システムは、互いにネットワークで接続されたないしは固定ネットワークＰＳＴＮへのゲートを成している多数の移動交換局によって構成されている。さらにこれらの移動交換局は、それぞれ少なくとも１つのベースステーションコントローラと接続されている。各ベースステーションコントローラはさらに、少なくとも１つのベースステーション（ベース送受信ステーション）と接続されている。この種のベースステーションは、無線インタフェースを介して他の無線ステーションいわゆる移動ステーション（移動無線端末装置）への無線コネクションを確立することのできる無線ステーションである。本出願の枠内では無線ステーションという用語には、ベースステーションないしは（移動無線）送受信装置ないしはベース送受信ステーション、ないしは少なくとも部分的に１つまたは複数の移動無線システムのベース送受信ステーションの方式に従って動作し対応する送信装置、受信装置および処理装置を備えた無線ステーションも含まれる。
【０００３】
無線区間の物理的な伝送資源は、ＴＤＭＡ、ＦＤＭまたはＣＤＭＡ方式などの多重アクセス方式により、設定されたパターンに従って論理的な移動無線チャネルに対応づけられる。論理的な移動無線チャネルについて、基本的に２つの種類に分けられる。すなわち、シグナリング情報を伝送するためのシグナリングチャネルと、有効データを伝送するためのトラヒックチャネルとに区別される。論理的な移動無線チャネルは、ベースステーションと移動ステーションとの間の特定のコネクションに割り当てることができる。移動ステーションとそれらの移動ステーションに割り当てられているベースステーションとの間では、高周波の電磁波によってデータを伝送することができる。
【０００４】
このことは多くの事例において望ましくない可能性があり、殊にそれらの電磁波が他の敏感な電子機器に対し障害を及ぼすおそれがあるときなどである。つまり、最近の飛行機における複雑なエレクトロニクスに対し、同乗の乗客による移動電話によって障害が及ぼされ、飛行機の制御が困難になるような状況が発生する。このためいくつかの航空路では、移動電話の使用が禁止されている。これまではそのような危険に対しアナウンスによって注意を喚起し、移動電話を利用しないよう要請していた。そしてこれに基づき移動電話のユーザは、移動電話機を手動でスイッチオフしていた。このような従来のやり方は非常に面倒であるし、信頼性がない。
【発明の概要】
【発明が解決しようとする課題】
【０００５】
したがって本発明の課題は、簡単で効果的かつ信頼性の高いやり方で、制限された局所領域を電磁放射から保護できるようにすることである。
【課題を解決するための手段】
【０００６】
この課題は、独立請求項の特徴部分に記載の構成により解決される。従属請求項には本発明の有利な実施形態が示されている。
【０００７】
これによれば本発明が基礎とする着想は、被監視領域内でシグナリング情報を所期のように送信することにより、検出すべき移動無線端末装置に対しシグナリング情報の送出を強制する状態を作為的に作り出し、このシグナリング情報の処理によりスイッチオフされていない移動無線端末装置を検出する点にある。
【０００８】
無線ステーションが、この無線ステーションに割り当てられたロケーションエリアに関するシグナリング情報を送信し、移動無線端末装置においてこのシグナリング情報を受信し処理することによって、ロケーションエリア更新の目的でシグナリング情報の送信が強制されると、スイッチオフされていない移動無線端末装置に対しシグナリング情報の送出を能動的に要求することができ、これによってスイッチオフされていない移動無線端末装置を簡単に検出することができる。この目的で、すでに公知のシグナリング手順を利用できる。
【０００９】
本発明によれば、被監視領域内にスイッチオフされていない移動無線端末装置が存在するか否かを簡単かつ高い信頼性で識別することができ、制限された局所領域を電磁放射から保護する適切な措置をとることができる。
【００１０】
受信スタンバイ状態中も、ある特定のタイムインターバルで移動無線システムと情報を交換する移動無線端末装置も存在する。したがって本発明の枠内ではスイッチオフとは、移動無線端末装置が他の電子機器のところで重大な妨害を引き起こすおそれのある信号をもはや送出できない状態におくことも意味する。
【００１１】
１つの有利な実施形態によれば、無線ステーションに対し特定の位置関係にある移動無線端末装置だけが、その無線ステーションから送出されたシグナリング情報を受信するように構成されている。このことの利点は、本発明によって監視される領域内に存在する移動無線端末装置だけが検出されることである。
【００１２】
別の有利な実施形態によれば、無線ステーションは一定または可変の期間後、その無線ステーションに割り当てられている変更されたロケーションエリアに関するシグナリング情報を送信する。
【００１３】
これにより可能となるのは、一度検出され最初のスイッチオフ後に再びスイッチオンされた移動無線端末装置も、ロケーションエリア変更のためシグナリング情報を送信するようになることである。
【００１４】
別の１つの有利な実施形態によれば、無線ステーションは少なくとも部分的に、種々の移動無線システムのベース送受信ステーションの方式に従って動作する。
【００１５】
これにより、本発明を様々な国々において適用できるようになるし、国際的な人々が集まる監視領域（空港）において、すべての人および対応する種々の移動無線システムの移動無線端末装置を検出することができる。
【００１６】
さらに別の１つの有利な実施形態によれば、ある移動無線システムのベース送受信ステーションの方式に少なくとも部分的に従って動作する無線ステーションは交換局と接続されていない。
【００１７】
これにより、無線ステーションを技術的に著しく簡単かつ安価に、そして場合によっては携帯可能に実現することができる。
【００１８】
本発明の別の実施形態によれば、シグナリング情報が無線ステーションから無線インタフェースを介して送信され、それが移動無線端末装置により受信されて処理され、この処理によって移動無線端末装置に送信機能が非アクティブ状態にされる。
【００１９】
このことにより、移動無線端末装置の操作が自動的に高い信頼性で効率的に、実行にあたり周囲に妨害作用を及ぼさない機能に制限されるようになる。手動のスイッチオフはもはや必要ない。
【００２０】
次に、有利な実施例に基づき本発明について詳しく説明する。本発明の実施形態を説明するため、以下に挙げた図面を用いる。
【図面の簡単な説明】
【００２１】
【図１】種々の移動無線端末装置および無線ステーションを描いた図
【図２】移動無線端末装置、無線ステーションならびにシグナリング情報の伝送の様子を示す図
【図３】無線装置の概略図
【発明を実施するための形態】
【００２２】
図１には、送信部ＳＥおよび受信部ＥＥを備えた無線ステーションならびに種々の移動無線システムのための処理装置ＶＥが示されている。
【００２３】
この無線ステーションＢＴＳはシグナリング情報ｓｉｇ１を送信する。このシグナリング情報は、送信された信号の到達距離により得ることのできる制限された局所領域ＢＥＲ内で移動無線端末装置ＭＦＥａ，ＭＦＥｂにより受信し処理することができる。
【００２４】
ここで「移動無線端末装置」とは移動電話機またはポータブルコンピュータのことであり、これらは無線インタフェースを介して高周波の電磁波を送出することができ、これにより移動無線システムを介して通信を行うことができる。
【００２５】
本発明は以下の領域ＢＥＲにおいても有利に適用することができる。すなわち、
−飛行機内および空港
−病院、診察室または医学的研究室内
−燃料貯蔵場所やタンクステーションの近く
−化学工場の近くや爆破作業場において
カバーされる領域ＢＥＲの大きさは、送信信号の電力制御やシグナリング情報を伝送する適切なアンテナの実現によって、変えたり整合させたりすることができる。
【００２６】
領域ＢＥＲ外に位置する移動無線端末装置ＭＦＥｃは、シグナリング情報を受信することはできない。
【００２７】
移動無線システムの交換装置と接続されていない無線ステーションＢＴＳを介しては、通常のサービスたとえば電話などは不可能であるので、それらの無線ステーションＢＴＳは、移動無線システムとつながっているベース送受信ステーションよりも技術的に簡単に実現することができる。したがって、単に部分的に移動無線システムのベース送受信ステーションの方式に従って機能する無線ステーションＢＴＳであってもよい。また、情報の処理においてのみ、通常用いられるベース送受信ステーションと区別するベース送受信ステーションを用いることもできる。
【００２８】
この場合、シグナリング情報ｓｉｇ１，ｓｉｇ２は、既存の周知のインタフェースまたは移動無線チャネルを介し、種々の移動無線システムの規格に従って伝送される。
【００２９】
シグナリング情報ｓｉｇ１ａ，ｓｉｇ１ｂは領域ＢＥＲ内の移動無線端末装置ＭＦＥａ，ＭＦＥｂにより、送信、受信ならびに処理装置ＳＥＶＥａ、ＳＥＶＥｂを用いて受信されて処理される。シグナリング情報ｓｉｇ１の処理は、移動無線端末装置ＭＦＥ内に格納されているソフトウェア制御されるプロセッサにより実行することができる。シグナリング情報ｓｉｇ１の後続処理により、受信側の移動無線端末装置ＭＦＥは受信したそのシグナリング情報自体に対する応答として、シグナリング情報ｓｉｇ２を送出する。
【００３０】
移動無線端末装置により送信されたシグナリング情報ｓｉｇ２が無線ステーションＢＴＳにおいて受信され処理された結果、たとえば監視要員あるいは操作要員に対し光学的にモニタＤＰＬを介して、あるいは音響的にスピーカを介して、被監視領域内で依然として移動無線端末装置ＭＦＥａ，ＭＦＥｂがスイッチオン状態にあることが通知される。必要に応じて、まだスイッチオン状態にある移動無線端末装置ＭＦＥａ，ＭＦＥｂの個数に関する情報を表示させることもできる。
【００３１】
つまり無線ステーションＢＴＳは、検出すべき移動無線端末装置ＭＦＥａ，ＭＦＥｂに対し応答信号ｓｉｇ２を送信するよう能動的に要求する検出器として機能する。本発明による方法によれば、移動無線端末装置ＭＦＥからベース送受信ステーションとの情報交換のために絶えず繰り返されるプロセスに基づき、あるいはコネクション確立に基づき、偶然に送信される信号を待っている必要がない。そうではなく本発明による方法は、被監視領域ＢＥＲ内でスイッチオン状態にあるすべての移動無線端末装置ＭＦＥａ，ＭＦＥｂから、検出可能な信号ｓｉｇ２を規定された時点に送出させるよう強制する。
【００３２】
本発明の１つの有利な実施形態によれば、監視すべき地理上の領域内に（たとえば飛行機への搭乗口や飛行機内などに）無線ステーションＢＴＳが設置され、これは１つまたは複数の移動無線規格のベース送受信ステーションＢＴＳの方式に少なくとも部分的に従って動作する（たとえばＧＳＭおよび／またはＰＣＮおよび／またはＤＣＳおよび／またはＩＳ−９５ ＡＭＰＳおよび／またはＴＡＣＳおよび／またはＩＳ−５４および／またはＰＤＣおよび／またはＣＤＭＡおよび／またはＷＢ−ＣＤＭＡおよび／またはＴＤ／ＣＤＭＡ等）。この目的で無線ステーションＢＴＳには、個々の移動無線システムに対応する送信装置ＳＥａ，ＳＥｂ、受信装置ＥＥａ，ＥＥｂおよび処理装置ＶＥａ，ＶＥｂを設けることができる。
【００３３】
本発明の別の実施形態によれば、移動無線システムと通信を行わない単独の無線ステーションＢＴＳがＧＳＭシステムのＢＣＣＨ（Broadcast Control Channel）などのシグナリングチャネルを介して、隣り合うベース送受信ステーションが使用しないロケーション識別子（ロケーションエリアに関する情報）たとえばＧＳＭシステムのＬＡＩ（Location Area Identity）をもつ識別子ｓｉｇ１ａを送信するよに構成されている。
【００３４】
被監視領域ＢＥＲ内の移動無線端末装置ＭＦＥａ、ＭＦＥｂに対し、所属のベース送受信ステーションまたは所属のロケーション識別子の交換（ロケーションアップデート Location Update）を強制するために、無線ステーションＢＴＳはきわめて良好な品質および高い出力のシグナリング情報ｓｉｇ１を送信する。
【００３５】
無線ステーションＢＴＳから送信されるシグナリング情報ｓｉｇ１は、移動無線端末装置ＭＦＥａ、ＭＦＥｂがすぐ近くにあることからそれらの移動無線端末装置ＭＦＥａ、ＭＦＥｂによって、場合によっては隣り合うベース送受信ステーションによって送信される信号よりも良好な品質で受信することができるので、スイッチオフされていない移動無線端末装置ＭＦＥａ，ＭＦＥｂは、測定レポート（Measurement Report）と、所属のベース送受信ステーションまたは所属のロケーション識別子（ＬＡＩ Location Area Identity）の交換（Location Update）に必要なシグナリング情報ｓｉｇ２ａを無線ステーションＢＴＳへ送信する。
【００３６】
移動無線端末装置ＭＦＥａ，ＭＦＥｂは移動無線システムによって登録解除され、無線ステーションＢＴＳに対応づけられたバーチャル移動無線システムのバーチャルセルに登録される。このようなバーチャル移動無線セルによって、実際の移動無線システムに対するアクセスに関して場合によっては阻止されてしまうことも回避される。
【００３７】
ロケーションアップデートに必要なシグナリング情報ｓｉｇ２の受信と処理によって、無線ステーションＢＴＳにおいてまたは無線ステーションに対応づけられた出力デパイスＤＰＬにおいて、警告信号の光学的または音響的な形成または表示がトリガされる。操作要員に対しそれ相応の指示が出されたあとに移動無線端末装置ＭＦＥａ、ＭＦＥｂがスイッチオフされなければ、無線ステーションＢＴＳから送信されるべきＬＡＩ（Location Area Identity）符号の変更後にこの方法を繰り返すことができ、依然としてスイッチオフ状態にされていないまたは再度スイッチオンされた移動無線端末装置の検出を続けることができる。当業者であれば、ロケーションアップデートに用いられるシグナリング手順の正確な説明や規定を、対応する移動無線システムの既知の規格説明から読み取ることができる。
【００３８】
図２に示されている無線ステーションＢＴＳは、制限された局所領域ＢＥＲ内で上述のロケーションアップデートに必要なシグナリング情報ｓｉｇ２を受信して処理した後、シグナリング情報ｓｉｇ３を送信する。このシグナリング情報は、それ相応の受信および処理装置ＥＶＥを備えた移動無線端末装置ＭＦＥａ，ｂによって受信および処理可能である。
【００３９】
この場合、シグナリング情報ｓｉｇ３は、既存の周知のインタフェースないしは移動無線システムの移動無線チャネルを介して、あるいは特にこの目的で設けられ規定されたインタフェースを介して伝送することができる。
【００４０】
シグナリング情報ｓｉｇ３は、領域ＢＥＲ内で受信スタンバイ状態にある移動無線端末装置ＭＦＥａ，ｂによって受信され処理される。このことは、場合によってはすでに設けられているソフトウェア制御されるプロセッサによって実行できる。
【００４１】
この情報を処理した結果として、移動無線端末装置ＭＦＥａ、ｂの特定の機能が非アクティブ状態にされる。これは有利には、それらの移動無線端末装置の周囲で障害を引き起こす可能性のある機能である。したがって、障害の程度に応じて送信機能または送受信機能が非アクティブにされる。ポータブルコンピュータの場合にも、実行によって高周波信号または高い出力をもつ信号の送出を引き起こす機能が非アクティブにされる。ここで「機能を非アクティブにする」とは、所定の期間または可変の期間にわたり、あるいはシステムまたは他の電子機器またはユーザが非アクティブ状態の解除命令を与えるまで、それらの機能を実行することができないことを意味する。また、送信機能を非アクティブにするとは、移動無線端末装置を他の電子機器において重大な障害を引き起こすおそれのある信号を送出できない状態におくことも意味する。
【００４２】
上述の情報の処理の結果、移動無線端末装置ＭＦＥａ，ｂを特定の機能が非アクティブとなる状態にし、移動無線端末装置がその状態にあるかぎり、もはやアクティブにすることはできないようにすることもできる。このことは、無線ステーションＢＴＳを一種のドアフレーム、ゲート、バリアあるいは入場を制限する他の手段に実装し、入場を制限するそのような手段を通って移動する移動無線端末装置ＭＦＥに対し呼びかけることによって実現することもできる。事前に非アクティブ状態にされた機能は、移動無線端末装置ＭＦＥａ，ｂが入場を制限する上述の手段を２回目に通って移動したときにはじめてアクティブにされる。
【００４３】
この無線ステーションＢＴＳは次のように構成されている。すなわち、比較的近くの周囲ＢＥＲ内に存在するすべての移動電話機ＭＦＥａ、ｂが、この無線ステーションを割り当てられたベース送受信ステーション（Serving Cell）であるとして選択するように構成されている。このため無線ステーションＢＴＳは、きわめて高い出力で送信を行う。
【００４４】
規定されたコマンドｓｉｇ３または規定されたメッセージｓｉｇ３が、無線ステーションＢＴＳから領域ＢＥＲ内に存在する移動電話機ＭＦＥａ，ｂへ送られると、それらはスイッチオフを強要される。たとえ移動電話機が再びユーザによってスイッチオフされても、コマンドによって再度スイッチオフが行われる。このスイッチオフコマンドは実施形態に応じて固有のメッセージとしてもよいし、あるいは一般的なメッセージにおける固有のパラメータまたはパラメータセットとしてもよい。
【００４５】
また、サポートすべき移動無線規格に応じて、通信ネットワークへの移動電話機のアクセスすなわち移動電話機の送信だけをもっぱら阻止する一方、（たとえばブロードキャストメッセージなどの）受信はそのまま許可するようにしてもよい。
【００４６】
この目的で既存の移動無線システムまたは通信プロトコルを、対応するスイッチオフコマンドについて拡張することができる。また、移動電話機またはその制御ソフトウェアだけを、スイッチオフコマンドの処理によって対応する機能が非アクティブになるよう拡張することも可能である。
【００４７】
本発明による方法を実施するための別の可能性として挙げられるのは、コネクション確立を目的とする最初のシグナリングフェーズの後、無線ステーションＢＴＳがシグナリング情報ｓｉｇ３を送信し、移動無線端末装置ＭＦＥａ，ｂにおいてそれが処理されることで送信機能を非アクティブ状態にすることである。
【００４８】
移動無線システムにおいてコネクションを確立するために、一般に以下のシグナリングフェーズが実行される。すなわち、
−移動無線端末装置ＭＦＥａ，ｂは、チャネル要求信号を無線ステーションＢＴＳへ送信する。
−無線ステーションＢＴＳは、即時割り当て信号を移動無線端末装置ＭＦＥａ，ｂへ送信する。
−移動無線端末装置ＭＦＥａ，ｂは、ロケーションアップデート要求信号を無線ステーションＢＴＳへ送信する。
【００４９】
ついでさらに１つのステップが実行される。すなわち、
−無線ステーションＢＴＳは、スイッチオフコマンド（ｓｉｇ３）を移動無線端末装置（ＭＦＥａ，ｂ）へ送信する。
【００５０】
このスイッチオフコマンドｓｉｇ３の処理により移動無線端末装置ＭＦＥａ，ｂにおいて、送信機能など特定の機能が非アクティブにされる。
【００５１】
図３には、無線ステーションＢＴＳまたは移動ステーションＭＦＥａ，ｂとすることのできる無線装置が示されている。移動無線端末装置ＭＦＥａ，ｂであればこれはマイクロフォンとスピーカエレメントによって構成されている。交換局と接続状態にない無線ステーションＢＴＳであれば、これらのエレメントは設けられていない。これに対し無線ステーションＢＴＳには必要に応じて、検出結果を表示するディスプレイが設けられている。
【００５２】
さらに、制御装置ＳＴＥを含むこともできるしあるいはそれとは別個に形成することのできる処理装置ＶＥと、電流給電装置ＳＶＥが設けられており、また、受信装置ＥＥ、送信装置ＳＥおよび周波数合成装置ＳＹＮから成る高周波装置ＨＦとアンテナ装置ＡＮＴも設けられている。無線装置の個々のエレメントは、導体路またはバスシステムを介して互いに接続されている。
【００５３】
制御装置ＳＴＥは実質的にマイクロコントローラＭＣなどプログラム制御されるプロセッサ装置から成り、処理装置ＶＥはディジタル信号プロセッサＤＳＰから成り、これら両方はメモリモジュールＳＰＥに対し書き込み読み出しアクセス可能である。マイクロコントローラＭＣは、無線装置におけるすべての主要なエレメントと機能を制御および監視し、通信およびシグナリングのシーケンス、無線装置における特定のコンポーネントまたは機能のスイッチオンおよびスイッチオフつまりアクティブ化および非アクティブ化、特定の動作状態への無線装置の切り替え、ならびに移動ステーションとベースステーションの間における伝送状態の検出や判定をコントロールする。
【００５４】
揮発性または不揮発性のメモリモジュールＳＰＥに、無線装置および通信シーケンス殊にシグナリング手順の制御に必要とされるプログラムデータ、機器情報、ユーザ入力情報、信号処理中に発生する情報が記憶されており、たとえば異常な伝送状態を検出するための受信電力閾値なども格納されている。
【００５５】
ディジタル信号プロセッサＤＳＰは、伝送すべきデータまたは受信データの音声符号化およびチャネル符号化を受け持つ。
【００５６】
アナログ／ディジタルコンバータＡ／Ｄにより、アナログ音声信号および高周波装置ＨＦからのアナログ信号がディジタル信号に変換され、ディジタル信号プロセッサＤＳＰにより処理される。伝送すべきデータは、場合によってはコネクション固有の拡散符号により拡散され、変調器ＭＯＤにより変調され、送信電力増幅器ＳＶにより増幅され、ついでそれ相応の送信電力でアンテナＡＮＴから送出される。受信側で、無線信号はアンテナＡＮＴにより所定の受信電力で受信され、受信増幅器ＥＶにより増幅され、復調器ＤＥＭにより復調され、場合によっては逆拡散され、ついで処理装置ＶＥにより検出される。
【００５７】
当業者であればこれまでの説明から上述の実施例殊に、種々の移動無線システムの移動無線規格に従って通信可能な無線ステーションＢＴＳのさらに別の組み合わせを、容易に実現させることができる。
【符号の説明】
【００５８】
ＢＴＳ  無線ステーション
ＭＦＥａ，ｂ，ｃ  移動無線端末装置
ＢＥＲ  制限された領域
ＳＥａ  送信装置
ＥＥａ，ＥＥｂ  受信装置
ＶＥａ，ＶＥｂ，ＳＥＶＥａ、ＳＥＶＥｂ  処理装置
ＤＰＬ  出力デバイス
【図１】
0004971375.tif 000002
【図２】
0004971375.tif 000003
【図３】
0004971375.tif 000004